(57)【特許請求の範囲】
【請求項１】
流路断面が略長方形の流量制御兼方向切換用回動バルブに用いるホース取付用金具であって、片側に断面が上記流量制御兼方向切換用回動バルブの流路断面と同形の略長方形の内孔が穿設された装置取付ネジを有し、反対側にホースの流路断面と同形の円形の内孔が穿設されたホース取付ネジを有し、中央の金具本体の内孔が、装置取付ネジ側は上記流量制御兼方向切換用回動バルブの流路断面と同形の略長方形をなし、ホース取付ネジ側はホースの流路断面と同形の円形をなし、上記円形の内孔の直径を１００とした場合に金具本体の内孔の上記略長方形の短辺が８０、長辺が１００、角丸の半径が１３であり、金具本体内で内孔の形態が円形から略長方形に連続的に変化し、しかも、いずれの部分にても内孔の断面積が略一定であることを特徴とする流路断面を変換するホース取付用金具。
【発明の詳細な説明】
【０００１】
【発明の属する技術分野】
本発明は、本発明者による、流路断面が略長方形の流量制御兼方向切換用回動バルブのような、油圧システムにおける流路断面が略長方形の装置に断面が円形のホースを接続する際に用いられる、ホースの円形断面を装置の略長方形の流路断面に変換するホース取付用金具に関する。
【０００２】
【従来の技術】
従来、油圧システムにおいて、ポンプやバルブ等の各装置を連結するホースは例外なく断面が円形であり、ホースを各装置に接続するホース取付用金具の内孔も、例外なくストレートの、断面が円形の孔であった。
そして、取付用金具に要求される性能は、唯、強度のみであった。
【０００３】
【発明が解決しようとする課題】
油圧システムにおいては、流体は圧縮できないので、回路の最小断面積の部分で制御されることとなる。もし仮に、各装置の流路の断面積よりもホースの断面積が小であるなら、上記の理由から、各装置の制御は不安定なものとなってしまう。又、ホースの断面積の方が各装置の流路の断面積よりも大きい場合には、接続部分でなんらかの抵抗が発生し、圧力損失が生じることとなる。それゆえに、ホースの断面積と、各装置の流路の断面積は、同一であるのが最も望ましい。
【０００４】
又、本発明者による出願の流量制御兼方向切換用回動バルブのような、流路断面が略長方形の装置に断面が円形のホースを接続する場合、通常の、内孔の断面が円形のホース取付用金具を用いると、金具と該バルブの流路の接点で断面が急に変化するので、その部分で大きな抵抗が生じ、圧力損失が甚だしく、かつ取付強度も弱くなり、さらに、正確な流量制御は不可能となってしまう。
【０００５】
【課題を解決するための手段】
本発明は上記課題を解決するためになされたものであって、その要旨とするところは、流路断面が略長方形の流量制御兼方向切換用回動バルブに用いるホース取付用金具であって、片側に断面が上記流量制御兼方向切換用回動バルブの流路断面と同形の略長方形の内孔が穿設された装置取付ネジを有し、反対側にホースの流路断面と同形の円形の内孔が穿設されたホース取付ネジを有し、中央の金具本体の内孔が、装置取付ネジ側は上記流量制御兼方向切換用回動バルブの流路断面と同形の略長方形をなし、ホース取付ネジ側はホースの流路断面と同形の円形をなし、上記円形の内孔の直径を１００とした場合に金具本体の内孔の上記略長方形の短辺が８０、長辺が１００、角丸の半径が１３であり、金具本体内で内孔の形態が円形から略長方形に連続的に変化し、しかも、いずれの部分にても内孔の断面積が略一定であることを特徴とする流路断面を変換するホース取付用金具を提供する。
【０００６】
【発明の実施の形態】
本発明を図面を参照しながら詳細に説明する。
図１は、本発明の、流路断面を変換するホース取付用金具の正面図であり、中央の本体１と、本体１と一体成型される装置取付ネジ２、同じく本体１と一体成型されるホース取付ネジ３より構成される。
【０００７】
図２は、図１のＡ−Ａ横断面図である。この図から明らかなように、本体１、装置取付ネジ２、ホース取付ネジ３内部を、連通する内孔４ａ、４ｂ、４ｃが貫通している。内孔４ａ、４ｂ、４ｃの断面は、図３ａ（Ｂ―Ｂ縦断面図）、図３ｃ（Ｄ―Ｄ縦断面図）に明らかなように、ホース取付ネジ３の内孔４ｃは円形であり、装置取付ネジ２の内孔４ｂは角を丸くした略長方形である。又、本体１の内孔４ａは断面が図３ａの内孔４ｃの円形から図３ｃの内孔４ｂの角を丸くした略長方形に連続的に変化する。図３ｂ（Ｃ−Ｃ縦断面図）には、ほぼその中間部分の断面形状を示す。
【０００８】
図４は、内孔４ｂ、４ｃの形状の変化を示す参考説明図である。本図において、５はホース取付ネジ３内部における内孔４ｃの円形形状を表わし、６は、装置取付ネジ２内部における内孔４ｂの略長方形形状を表わす。円形形状５と略長方形形状６の寸法比は、Ｅ（円の直径）を１００とした場合、下記のとおりに設定される。
【数１】
0003574596.tif 000002
【０００９】
Ｅを１００として、上記の寸法比により、π＝３．１４１５で円形形状５と略長方形形状６の面積を計算すると、下記のような結果となり、その差はごく僅かで、加工精度を考慮すれば無視できる範囲内である。従って、上記の寸法比を採ることにより、ホース取付ネジ３内部における内孔４ｃの円形形状５は、面積を変えることなく、装置取付ネジ２内部における内孔４ｂの略長方形形状６に変換されるといいうる。
【数２】
0003574596.tif 000003
【００１０】
図５は、本発明の流路断面を変換するホース取付用金具を装置７に取付けた状態を表わす、使用状態を説明する参考正面図である、本発明の流路断面を変換するホース取付用金具は、このように、装置取付ネジ２を装置７側に螺着し、ホース取付ネジ３にホース（図示せず）を取付けて使用される。これにより、ホースの円形断面は、殆どその面積を変えることなく装置７の略長方形断面に変換される。
【発明の効果】
【００１１】
以上の構成、作用により、本発明の流路断面を変換するホース取付用金具は、次に述べる効果を齎すものである。
１）ホースから流入する流体の流速、圧力、流量を殆ど変化させることなく、装置側に導くことができる。
２）ホース側と装置側の断面積を等しくすることにより、流体の流体抵抗が減少し、流れが滑らかになる。
３）取付金具と装置が分離しているので装置側のケーシングの加工が容易である。
４）本発明者による発明の、流路断面が略長方形の流量制御兼方向切換用回動バルブに装着した場合、バルブの流量制御が正確に行える。
【００１２】
以上にみるように、本発明は、油圧システム等の流体を扱うシステムにおいて、流体の流速、圧力、流量を殆ど変化させることなく、ホースと装置、さらには装置と装置を連結することのできる、従来存在しなかった画期的な特性を有するものであり、特に、本発明者による発明の、流路断面が略長方形の流量制御兼方向切換用回動バルブを用いた油圧回路構成には欠くことのできない重要な役割を果たすものである。
【図面の簡単な説明】
【図１】本発明の流路断面を変換するホース取付用金具の正面図である。
【図２】本発明の流路断面を変換するホース取付用金具の図１におけるＡ−Ａ横断面図である。
【図３】ａ  本発明の流路断面を変換するホース取付用金具の図１におけるＢ−Ｂ縦断面図である。
ｂ  本発明の流路断面を変換するホース取付用金具の図１におけるＣ−Ｃ縦断面図である。
ｃ  本発明の流路断面を変換するホース取付用金具の図１におけるＤ−Ｄ縦断面図である。
【図４】本発明の流路断面を変換するホース取付用金具の内孔４ｂ、４ｃの形状の変化を示す参考説明図である。
【図５】本発明の流路断面を変換するホース取付用金具の使用状態を説明する参考正面図である。
【符号の説明】
１  本体
２  装置取付ネジ
３  ホース取付ネジ
４ａ  内孔
４ｂ  内孔
４ｃ  内孔
５  円形形状
６  略長方形形状
７  装置
【図１】
0003574596.tif 000004
【図２】
0003574596.tif 000005
【図３】
0003574596.tif 000006
【図４】
0003574596.tif 000007
【図５】
0003574596.tif 000008